(57)【要約】      【課題】木製の床の部屋で使用しても床を傷つけることが少なく、かつすべりの少ない椅子を開発する。      【解決手段】平面状の接地面がある脚を有する椅子において、該脚の接地面側を加工して複数の雌型の凹みを設けられ、これに複数の雄型の凸部を有する弾性材が嵌めこまれ、接地面に弾性材が嵌めこまれていることを特徴とする椅子であり、具体的には、  平面状の接地面を有する板状脚と、板状脚の上部に背もたれ板とを有する椅子において、該板状脚の接地面側を加工して複数の雌型の凹みを設けられ、これに複数の雄型の凸部を有する弾性材が嵌めこまれ、接地面に弾性材が嵌めこまれていることを特徴とする椅子があげられる。そして、雌型の凹み、及び弾性材の雄型の凸部は、弾性材１個あたり２〜６個であり、雌型の凹み及び雄型の凸部の形状は、円柱状であり、雌型の凹みは、該脚の接地面を直接加工して形成した凹みであることを特徴とする椅子である。【選択図】  第１図【実用新案登録請求の範囲】
【請求項１】
平面状の接地面がある脚を有する椅子において、該脚の接地面側を加工して複数の雌型の凹みが設けられ、これに複数の雄型の凸部を有する弾性材が嵌めこまれ、接地面に弾性材が嵌めこまれていることを特徴とする椅子。
【請求項２】
平面状の接地面を有する板状脚と、板状脚の上部に背もたれ板とを有する椅子において、
該板状脚の接地面側を加工して複数の雌型の凹みが設けられ、これに複数の雄型の凸部を有する弾性材が嵌めこまれ、接地面に弾性材が嵌めこまれていることを特徴とする椅子。
【請求項３】
対置した左右１組からなり、かつ平面状接地面を有する板状脚を有し、板状脚の上部に背もたれ板を、下部に脚台部を各々架設し、
１組の板状脚の中間に座板を設けた椅子において、
左右にある該板状脚の接地面側を加工して複数の雌型の凹みが設けられ、これに複数の雄型の凸部を有する弾性材が嵌めこまれ、接地面に弾性材が嵌めこまれていることを特徴とする椅子。
【請求項４】
請求項２、３の椅子において、座板の上部にテーブルを設け、
更に、板状脚と座板の間に足載板が追加されていることを特徴とする椅子。
【請求項５】
背もたれと、座板と、座板を支える支柱と、支柱の下部にあって支柱と連なる中心から周辺方向に延びる接地面を有するエックス形台からなる脚を有する椅子において、
該脚の接地面側を加工して複数の雌型の凹みが設けられ、これに複数の雄型の凸部を有する弾性材が嵌めこまれ、接地面に弾性材が嵌めこまれていることを特徴とする椅子。
【請求項６】
背もたれと、座板と、座板を支える支柱と、支柱の下部で座板、背もたれ及び支柱を支える円形乃至ドーナツ状の円形台からなる脚を有する椅子において、
該脚の接地面側を加工して複数の雌型の凹みが設けられ、これに複数の雄型の凸部を有する弾性材が嵌めこまれて、接地面に弾性材が嵌めこまれていることを特徴とする椅子。
【請求項７】
請求項１〜６において、雌型の凹み及び弾性材の雄型の凸部は、各々弾性材１個あたり２〜６個であることを特徴とする椅子。
【請求項８】
請求項１〜６において、雌型の凹み及び雄型の凸部の形状は、円柱状であることを特徴とする椅子。
【請求項９】
請求項１〜６において、雌型の凹みは、脚の接地面を直接加工して形成した凹みであることを特徴とする椅子。
【請求項１０】
請求項１〜６において、弾性材の接地面に接地面凹凸を設け、滑り止めの効果の向上をはかっていることを特徴とする椅子。
【考案の詳細な説明】
【技術分野】
【０００１】
本考案は、床を傷つけることを防止し安定性を増すため、椅子の脚の接地面に、弾性材をつけた椅子に関する。
【背景技術】
【０００２】
椅子は、一般の事務所や応接間、台所など種々の場所で使用されている。椅子の脚は、種々の形状のものがある。例えば、事務所用では、移動に便利なように、脚の接地面に車輪をつけた椅子がある。車輪の接地部は硬いプラスチックスであり、接地面積が小さいため、パイルのあるカーペットを敷いた部屋で使用すると、カーペットが局部的にへたってしまう欠点があり、ニードルパンチカーペットなどを敷いた部屋に限定される。
【０００３】
椅子の脚の形態として、４本の柱状乃至円柱状の脚を用いた椅子が従来から公知である。この場合移動に不便であり、主として台所などで使用されている。
【０００４】
近年、接地面積の大きい椅子が開発されている。しかしこの方式の椅子は、板を敷いた部屋などで使用すると傷をつけやすい欠点がある。
【０００５】
従来、４本の柱状乃至円柱状の脚を用いた椅子やコタツなどにおいて、接地面に、靴のようなゴム製カバーをかけることも行われているが、なお不十分である。
また、平面状の弾性材をただ単に接地面に取り付けたり、ピンを介して取り付ける方法もあるが、容易に弾性材が剥離したりピンが外れたりして好ましくない。
別の方法として、下の木製床を傷つけるのを防止する目的で円柱状の脚の接地面に、まず雌型をとりつけ、次に弾性材からなる雄型を取り付ける形式の椅子が開示されている（特許文献１）。しかし、この場合も、接地面積は小さいため、カーペットの「へたり」防止には有効ではない。
【０００６】
【特許文献１】実用新案登録第３０９１６４９号公報
【考案の開示】
【考案が解決しようとする課題】
【０００７】
そこで、本考案の目的は、木製の床の部屋で使用しても傷つけることが少なく、すべりを少なくした椅子を開発することである。
【課題を解決するための手段】
【０００８】
上記の目的を解決するため本考案の椅子においては、
（１）平面状の接地面がある脚を有する椅子において、該脚の接地面側を加工して複数の雌型の凹みが設けられ、これに複数の雄型の凸部を有する弾性材が嵌めこまれ、接地面に弾性材が嵌めこまれていることを特徴とする、
（２）平面状の接地面を有する板状脚と、板状脚の上部に背もたれ板とを有する椅子において、
該板状脚の接地面側を加工して複数の雌型の凹みが設けられ、これに複数の雄型の凸部を有する弾性材が嵌めこまれ、接地面に弾性材が嵌めこまれていることを特徴とする、
（３）対置した左右１組からなり、かつ平面状接地面を有する板状脚を有し、板状脚の上部に背もたれ板を、下部に脚台部を各々架設し、 １組の板状脚の中間に座板を設けた椅子において、
左右にある該板状脚の接地面側を加工して複数の雌型の凹みが設けられ、これに複数の雄型の凸部を有する弾性材が嵌めこまれ、接地面に弾性材が嵌めこまれていることを特徴とする、
（４）（２）、（３）の椅子において、座板の上部にテーブルを設け、
更に、板状脚と座板の間に足載板が追加されていることを特徴とする、
（５）  背もたれと、座板と、座板を支える支柱と、支柱の下部にあって支柱と連なる中心から周辺方向に延びる接地面を有するエックス形台からなる脚を有する椅子において、
該脚の接地面側を加工して複数の雌型の凹みが設けられ、これに複数の雄型の凸部を有する弾性材が嵌めこまれ、接地面に弾性材が嵌めこまれていることを特徴とする、
（６）背もたれと、座板と、座板を支える支柱と、支柱の下部で座板、背もたれ及び支柱を支える円形乃至ドーナツ状の円形台からなる脚を有する椅子において、
該脚の接地面側を加工して複数の雌型の凹みが設けられ、これに複数の雄型の凸部を有する弾性材が嵌めこまれて、接地面に弾性材が嵌めこまれていることを特徴とする、
（７）  （１）〜（６）において、雌型の凹み及び弾性材の雄型の凸部は、各々弾性材１個あたり２〜６個であることを特徴とする椅子。
（８）（１）〜（６）において、雌型の凹み及び雄型の凸部の形状は、円柱状であることを特徴とする、
（９）（１）〜（６）において、雌型の凹みは、脚の接地面を直接加工して形成した凹みであることを特徴とする。
（１０）（１）〜（６）において、弾性材の接地面に接地面凹凸を設け、滑り止めの効果の向上をはかっていることを特徴とする椅子。
【０００９】
本考案で使用する弾性材としては、天然ゴム、ウレタンゴム、シリコンゴム、スチレン・ブタジエンゴム、エチレン・プロピレンゴム、アクリルゴムなどをあげることができる。
【００１０】
本考案において、脚の接地面側を加工して雌型の凹みが設けられ、これに雄型の凸部を有する弾性材が嵌めこまれる。雄型の凸部を雌型の凹みよりやや大きな寸法とすれば、接着剤は不要であるが、接着剤を併用することも可能である。
ここに使用する接着剤としては、弾性材と木材を接着するクロロプレンゴム、ニトリルゴムなど公知の接着剤から選択すればよい。
【００１１】
弾性材を嵌め込む方法としては、接地面を一部くり抜き、弾性材を嵌め込むことで行われる。嵌め込んだ弾性材を固定するため接着と併用することができる。複数の雌型の凹み、複数の雄型の凸部とする理由は結合点が複数の方がより強固に結合するからである。そしてその数は２〜６の範囲が好適である。７個以上になるとコストアップにつながりやすいからである。
【考案を実施するための最良の形態】
【００１２】
以下に、本考案の実施例について、図１〜図７を参照しながら説明する。
図１は、この実施例の子供用椅子１００について、テーブルを使用位置においた状態の斜視図である。板状脚１は、直角よりやや鋭角に曲がっている板からなる。一組の板状脚１を、人の幅よりやや大きな間隔をあけて向き合わせ、背もたれ板２及び脚台部３で連結し、更に脚台部３の反対側の位置で、横架バー１１を使用して連結する。横架バー１１の連結には締結用螺１２が使用される。ここで一組の向き合っている板状脚１の内側側面には挿嵌溝６が左右対称に形成されていて、上に人の座る座板４及び足載板５を挿嵌溝６に嵌めて、配置する。更に座板４の上部にはテーブル７が形成される。
【００１３】
テーブル７に物を載せたとき落下するのを防止するため、テーブルの縁にストッパ片１０が取付けられる。取付けには取付けピン８、止め螺子９が使用される。また、子供が落下するのを防止するため、帯板状ガード１３が取付けられる。帯板状ガード１３の取付けには止螺（図示せず）が使用される。
【００１４】
子供用椅子１００を板の間などにおいて使用したとき床板を傷つけないため、接地面に弾性材１４が取付けられる。弾性材として、天然ゴムが使用される。
図２は、子供用椅子１００の板状脚１及び脚台部３の裏面図である。弾性材１４は板状脚１の裏面の四隅に取付けられている。
図３は、本考案で使用する弾性材の斜視図である。弾性材１４には、雄型の凸部２１が２個形成されている。
図４は、弾性材装着前の、板状脚の接地面側の部分及び弾性材を斜め下から見た斜視図である。雄型の凸部２１を雌型の凹み２２に嵌めこみ、接地面に弾性材１４が取り付けられる。なお、弾性材１４の接地面側に滑り止め効果を向上させるため、多数の小さな接地面凹凸２３が設けられている。
【００１５】
図５は、勉強用椅子１１０の側面図である。円形台１５は、底面に弾性材１４を嵌め込まれている。円形台１５の上には回転型座板１６が載せられる。回転型座板１６は、高さ調節螺子１８により、子供の成長に応じて高さ調整が可能である。回転型座板１６には背もたれ１７が取付け可能である。背もたれ１７も、背もたれ調整螺子１９により子供の成長に応じて長さ調整が可能である。
【００１６】
図６は、勉強用椅子に使用されている円形台１５の裏面図である。弾性材１４は４箇所嵌め込まれている。図７は円形台１５の代わりにエックス形台２０の裏面図である。この場合も同様に４箇所に弾性材１４が嵌め込まれている。
【００１７】
以上の説明によって明らかなように、本考案による椅子は、以下に列記したような実用上の優れた効果を発揮できる。
（ａ）接地面に弾性材が使用されているので、板を使用した廊下や居間或いは台所、畳を使用した部屋で使用しても、畳や床板を傷めることがない。
（ｂ）カーペットを使用した廊下や部屋で使用しても、接地面積が大きいのでカーペットを局部的に凹ませ、所謂「へたり」を起こすことが少ない。
（ｃ）椅子の接地面に弾性材を嵌め込んでも、コストアップをもたらすことは少なく、少ない費用で大きな効果をあげることが可能である。
【図面の簡単な説明】
【００１８】
【図１】本考案子供用椅子の斜視図である。
【図２】本考案子供用椅子の板状脚及び脚台部の裏面図である。
【図３】本考案で使用する弾性材の斜視図である。
【図４】弾性材装着前の、脚の接地面側の部分及び弾性材を斜め下から見た斜視図である。
【図５】勉強用椅子の側面図である。
【図６】勉強用椅子に使用されている円形台の裏面図である。
【図７】勉強用椅子に使用されているエックス形台の裏面図である。
【符号の説明】
【００１９】
１      板状脚
２      背もたれ板
３      脚台部
４      座板
５      足載板
６      挿嵌溝
７      テーブル
８      取付けピン
９      止め螺子
１０    ストッパ
１１    横架バー
１２    締結用螺子
１３    帯板状ガード
１４    弾性材
１５    円形台
１６    回転型座板
１７    背もたれ
１８    高さ調節螺子
１９    背もたれ調整螺子
２０    エックス形台
２１    凸部
２２    凹み
２３    接地面凹凸
１００  子供用椅子
１１０  勉強用椅子
【図１】
0003102265.tif 000002
【図２】
0003102265.tif 000003
【図３】
0003102265.tif 000004
【図４】
0003102265.tif 000005
【図５】
0003102265.tif 000006
【図６】
0003102265.tif 000007
【図７】
0003102265.tif 000008